(57)【要約】      （修正有）【課題】災害が発生したときに、避難者は、光源を有する緊急照明灯に移動すると、緊急インターホンを即時に利用して外部と連絡可能な無線インターホン機能付き緊急照明灯を提供する。【解決手段】発光ユニット１０と無線インターホン２０とがその内部に設けられており、無線インターホン２０は、スピーカーと、マイクロフォンと、話しボタンと、を備えるケース３０と、ケース３０の内部に設けられており、発光ユニット１０及び無線インターホン２０をオン・オフ可能な制御ユニットと、ケース３０の内部に設けられており、電力を供給する蓄電装置と、ケース３０の内部に設けられており、蓄電装置と電気的に接続する電源入力コンポーネント６０と、ケース３０の内部に設けられており、電源入力コンポーネント６０が蓄電装置へ電力を供給するかどうかを検出し、判断した信号を制御ユニットに伝送するためのものである検出ユニットと、を含む。【選択図】図１
0003215145.tif 000002
【実用新案登録請求の範囲】
【請求項１】
発光ユニットと無線インターホンとがその内部に設けられており、前記無線インターホンは、スピーカーと、マイクロフォンと、話しボタンと、を備えるケースと、
前記ケースの内部に設けられており、前記発光ユニット及び前記無線インターホンと電気的に接続し、前記発光ユニット及び前記無線インターホンをオン・オフ可能な制御ユニットと、
前記ケースの内部に設けられており、電力を供給する蓄電装置と、
前記ケースの内部に設けられており、前記蓄電装置と電気的に接続する電源入力コンポーネントと、
前記ケースの内部に設けられており、前記電源入力コンポーネントが前記蓄電装置へ電力を供給するかどうかを検出し、判断した信号を前記制御ユニットに伝送するためのものである検出ユニットと、
を含むことを特徴とする無線インターホン機能付き緊急照明灯。
【請求項２】
更に、凸部と、壁掛け台と、を有し、前記凸部は、前記ケースと前記発光ユニットとの外側面を囲み、その一側の両端には、前記ケースの軸線方向に平行する凸縁がそれぞれ設けられており、前記壁掛け台は、円形の輪郭を呈する柱であり、一面に円弧状円錐面が形成され、他面が平坦な壁接触面であり、前記円弧状円錐面の上部に平面が形成され、前記平面には、前記壁接触面に平行する凹み溝が凹設されており、前記凹み溝には、前記円弧状円錐面に向くスロットが設けられており、前記凹み溝は前記凸縁に脱着可能に嵌合可能であることを特徴とする、請求項１に記載の無線インターホン機能付き緊急照明灯。
【請求項３】
前記壁掛け台の前記壁接触面に収容空間が凹設されており、前記収容空間には、十字形に交差するリブが複数設けられており、前記壁掛け台に締結穴が少なくとも二つ設けられており、前記締結穴は前記壁掛け台を貫通することを特徴とする、請求項２に記載の無線インターホン機能付き緊急照明灯。
【考案の詳細な説明】
【技術分野】
【０００１】
本考案は、緊急照明灯に関し、特に、緊急照明灯が無線インターホンの機能を有することにより、災害が発生したときに、ユーザはヘルプ信号源を時間掛けずに見つけることが可能であり、平常時に、ユーザは放送または音楽を聴くことが可能な無線インターホン機能付き緊急照明灯に関するものである。
【背景技術】
【０００２】
従来の緊急照明灯は、ＬＥＤランプ及び蓄電装置だけを有し、平常時に、非常口などに設置して市電と接続することが必要である。しかしながら、このような緊急照明灯は、照明だけの機能を有し、インターホンの機能を有せず、且つ平常時に放送または音楽を聴くことができないため、ユーザに利用される頻度は低い。
【０００３】
しかしながら、市販している緊急インターホンは、同じチャンネルの対話機能だけを有するが、災害が発生したときに、人間の本能により、避難者は、光源へ移動する傾向があり、緊急インターホンの位置へ移動することが難しい。これにより、避難者は外部と連絡することができない。
【考案の概要】
【考案が解決しようとする課題】
【０００４】
本考案の主な目的は、緊急照明灯に無線インターホンを結合することにより、災害が発生したときに、避難者は、光源を有する緊急照明灯に移動すると、緊急インターホンを即時に利用して外部と連絡可能な無線インターホン機能付き緊急照明灯を提供することにある。
【課題を解決するための手段】
【０００５】
本考案の無線インターホン機能付き緊急照明灯によると、発光ユニットと無線インターホンとがその内部に設けられており、無線インターホンは、スピーカーと、マイクロフォンと、話しボタンと、を備えるケースと、
ケースの内部に設けられており、発光ユニット及び無線インターホンと電気的に接続し、発光ユニット及び無線インターホンをオン・オフ可能な制御ユニットと、
ケースの内部に設けられており、電力を供給する蓄電装置と、
ケースの内部に設けられており、蓄電装置と電気的に接続する電源入力コンポーネントと、
ケースの内部に設けられており、電源入力コンポーネントが蓄電装置へ電力を供給するかどうかを検出し、判断した信号を制御ユニットに伝送するためのものである検出ユニットと、
を含むことを特徴とする。
【０００６】
本考案の無線インターホン機能付き緊急照明灯によると、更に、凸部と、壁掛け台と、を有し、凸部は、ケースと発光ユニットとの外側面を囲み、その一側の両端には、ケースの軸線方向に平行する凸縁がそれぞれ設けられており、壁掛け台は、円形の輪郭を呈し、一面に円弧状円錐面が形成され、他面が平坦な壁接触面であり、円弧状円錐面の上部に平面が形成され、平面には、壁接触面に平行する凹み溝が凹設されており、凹み溝には、円弧状円錐面に向くスロットが設けられており、凹み溝は凸縁に脱着可能に嵌合され可能であることを特徴とする。
【０００７】
本考案の無線インターホン機能付き緊急照明灯によると、壁掛け台の壁接触面に収容空間が凹設されており、収容空間には、十字形に交差するリブが複数設けられており、壁掛け台に締結穴が少なくとも二つ設けられており、締結穴は壁掛け台を貫通することを特徴とする。
【考案の効果】
【０００８】
本考案の無線インターホン機能付き緊急照明灯によれば、緊急照明灯に無線インターホンを結合することにより、災害が発生したときに、避難者は、光源を有する緊急照明灯に移動すると、緊急インターホンを即時に利用して外部と連絡可能であるという効果を有する。
【図面の簡単な説明】
【０００９】
【図１】本考案に係る無線インターホン機能付き緊急照明灯の組合済み状態を示す斜視図である。
【図２】図１の２-２線の断面図である。
【図３】本考案に係る無線インターホン機能付き緊急照明灯を左後方から見た分解斜視図である。
【図３Ａ】図３のＡ部分を示す拡大図である。
【図４】本考案に係る無線インターホン機能付き緊急照明灯を右後方から見た分解斜視図である。
【図５】本考案に係る無線インターホン機能付き緊急照明灯を示す正面図である。
【図５Ａ】図５のＡ部分を示す拡大図である。
【図６】本考案に係る無線インターホン機能付き緊急照明灯を示すブロック図である。
【図７】本考案に係る無線インターホン機能付き緊急照明灯の使用状態を示す図である。
【考案を実施するための形態】
【００１０】
以下、本考案の実施の形態を図面に基づいて説明する。
【００１１】
図１から図７を参照する。本考案に係る無線インターホン機能付き緊急照明灯１は、ケース３０と、制御ユニット４０（例えば回路制御ＩＣボード）と、蓄電装置５０（例えば充電式リチウムイオン電池）と、電源入力コンポーネント６０（例えば充電プラグ、ＵＳＢ充電ケーブルや回路線など）と、検出ユニット８０（例えば、回路の有無を検出可能な制御ＩＣボードや回路センサーなど）と、を含む。
【００１２】
発光ユニット１０（例えばＬＥＤランプ、発光ダイオードや電球など）及び無線インターホン２０は、ケース３０の内部に設けられている。無線インターホン２０は、スピーカー２１と、マイクロフォン２２と、話しボタン２３と、を備える。ケース３０の内部に設けられている制御ユニット４０は、発光ユニット１０及び無線インターホン２０と電気的に接続し、発光ユニット１０及び無線インターホン２０をオン・オフ可能である。ケース３０の内部に設けられている蓄電装置５０は、無線インターホン機能付き緊急照明灯１と電気的に接続し、無線インターホン機能付き緊急照明灯１に電力を供給可能である。ケース３０の内部に設けられている電源入力コンポーネント６０は、蓄電装置５０と電気的に接続する。ケース３０の内部に設けられている検出ユニット８０は、電源入力コンポーネント６０が蓄電装置５０へ電力を供給するかどうかを検出し、判断した信号を制御ユニット４０に伝送するためのものである。
【００１３】
無線インターホン機能付き緊急照明灯１は、上部と底部とが円弧状を呈し、中段が鉛直状を呈するため、本実施形態では、無線インターホン機能付き緊急照明灯１の外観がカプセル状を呈する。
【００１４】
図１から図４を参照する。更に、ケース３０と発光ユニット１０との外側面を囲む凸部３１を有する。凸部３１の一側の両端には、ケース３０の軸線方向に平行する凸縁３１１がそれぞれ設けられている。壁掛け台３２は、円形の輪郭を呈する柱であり、その一面に円弧状円錐面３３が形成され、他面が平坦な壁接触面３４である。円弧状円錐面３３の上部に平面３３１が形成される。平面３３１には、壁接触面３４に平行する凹み溝３３２が凹設されている。凹み溝３３２には、円弧状円錐面３３に向くスロット３３３が設けられている。これにより、凹み溝３３２は、凸縁３１１に脱着可能に嵌合可能である。このように、壁に無線インターホン機能付き緊急照明灯１を掛けることが可能である。
【００１５】
上記に述べたように、壁掛け台３２の壁接触面３４に収容空間３４１が凹設されている。収容空間３４１には、十字形に交差するリブ３４２が複数設けられている。これらのリブ３４２により、重量を減少可能であり、且つ全体の構造の強度を増加可能である。壁掛け台３２に締結穴３４３が少なくとも二つ設けられている。締結穴３４３は壁掛け台３２を貫通する。釘や螺子は、締結穴３４３を挿通して壁に固定可能である。
【００１６】
また、図５から図６を参照する。制御ユニット４０は音量調整ツマミ４１を有する。音量調整ツマミ４１により、無線インターホン２０の音量を調整可能である。制御ユニット４０は、更に、ライト調整ツマミ４２を有する。発光ユニット１０は、ナイトライト、スタンダード及び高輝度などの三つの照明モードに切り替え可能である。そして発光ユニット１０は、国際遭難ライトという三つの長い三つの短い周波数を点滅可能である。
【００１７】
また、無線インターホン２０のアンテナ４３は、放送信号７０及び無線伝送信号７１を受信可能である。これにより、本考案に係る無線インターホン機能付き緊急照明灯１は、ラジオ及び無線音楽再生装置として利用可能である。無線インターホン２０は、複數のチャンネル２５に切り替え可能であるため、平常時に、ユーザは放送または音楽を聴くことが可能である。
【００１８】
本実施形態では、直流電（ＤＣ）を電源とし、蓄電装置５０は電源出力コンポーネント６１と電気的に接続する。電源出力コンポーネント６１はＵＳＢプラグと接続可能である。ユーザは、モバイル装置（例えば携帯電話やタブレットＰＣなど）にＵＳＢプラグを差し込むことにより、無線インターホン機能付き緊急照明灯１をモバイル充電器として利用可能である。
【００１９】
次に、本考案に係る無線インターホン機能付き緊急照明灯１の使用状態および作動を説明する。電源入力コンポーネント６０の蓄電装置５０に対する電力の供給を停止すると、検出ユニット８０は電力供給の有無を判断する。電力供給が無くなる場合には、制御ユニット４０が作動せず、電力供給がある場合には、制御ユニット４０が発光ユニット１０及び無線インターホン２０を起動することにより、発光ユニット１０が発光し、無線インターホン２０が、予設されたチャンネルの無線信号を受信し、又は送信する。
【００２０】
また、図７、図１及び図３を参照する。災害が発生したときに、ユーザは、壁から無線インターホン機能付き緊急照明灯１を取り離して、発光ユニット１０を前方へ照明し、外部と連絡して現在の所在位置を知らせたい場合には、外部と連絡可能な各チャンネル２５に切替えて、無線インターホン２０の話しボタン２３を押圧して、マイクロフォン２２に向けて話すと、外部と連絡して現在の所在位置を知らせることが可能となる。
【符号の説明】
【００２１】
１  無線インターホン機能付き緊急照明灯
１０  発光ユニット
２０  無線インターホン
２１  スピーカー
２２  マイクロフォン
２３  話しボタン
２５  チャンネル
３０  ケース
３１  凸部
３２  壁掛け台
３３  円弧状円錐面
３４  壁接触面
４０  制御ユニット
４１  音量調整ツマミ
４２  ライト調整ツマミ
４３  アンテナ
５０  蓄電装置
６０  電源入力コンポーネント
６１  電源出力コンポーネント
７０  放送信号
７１  無線伝送信号
８０  検出ユニット
３１１  凸縁
３３１  平面
３３２  凹み溝
３３３  スロット
３４１  収容空間
３４２  リブ
３４３  締結穴
【図１】
0003215145.tif 000003
【図２】
0003215145.tif 000004
【図３】
0003215145.tif 000005
【図３Ａ】
0003215145.tif 000006
【図４】
0003215145.tif 000007
【図５】
0003215145.tif 000008
【図５Ａ】
0003215145.tif 000009
【図６】
0003215145.tif 000010
【図７】
0003215145.tif 000011